(57)【要約】【課題】  浄水部よりも上流側で吐水部における原水吐水と浄水吐水とを切替え、原水側流路と浄水側流路とを浄水部よりも下流で合流させても、浄水部側への原水の逆流を抑制することが可能な水栓装置を提供することを目的とする。【解決手段】  本発明は、給水源から供給される原水を吐水部に向けて供給する原水側流路と、原水を浄化する浄水部が介設され、吐水部に向けて浄水を供給する浄水側流路と、原水を、原水側流路と浄水側流路との何れかを選択して通水させる流路切替部と、を備え、吐水部は、複数の吐水口と、原水側流路から供給された原水を、複数の吐水口のそれぞれに供給する複数の吐水流路と、複数の吐水流路の何れに原水を通水させるかを選択して切替えることで、吐水部における吐水の形態を切替える吐水形態切替部と、を有し、浄水側流路が、吐水形態切替部の下流側において吐水流路の何れかに合流する。【選択図】  図６
2014134013.tif 000002
【特許請求の範囲】
【請求項１】
給水源から供給される原水と、給水源から供給される原水を浄水部によって浄化した浄水と、を切替えて吐水部から吐水する水栓装置であって、
給水源から供給される原水を前記吐水部に向けて供給する原水側流路と、
給水源から供給される原水を浄化する前記浄水部が介設され、前記吐水部に向けて浄水を供給する浄水側流路と、
給水源から供給される原水を、前記原水側流路と前記浄水側流路との何れかを選択して通水させる流路切替部と、を備え、
前記吐水部は、吐水を行う複数の吐水口と、前記原水側流路から供給された原水を、前記複数の吐水口のそれぞれに供給する複数の吐水流路と、この複数の吐水流路の何れに前記原水側流路から供給された原水を通水させるかを選択して切替えることで、前記吐水部における吐水の形態を切替える吐水形態切替部と、を有し、
前記浄水側流路が、前記吐水形態切替部の下流側において前記複数の吐水流路の何れかに合流していることを特徴とする水栓装置。
【請求項２】
前記複数の吐水口は、シャワー吐水を行うシャワー吐水口と、ストレート吐水を行うストレート吐水口と、を含み、
前記複数の吐水流路は、前記シャワー吐水口に連通するシャワー吐水用吐水流路と、前記ストレート吐水口に連通するストレート吐水用吐水流路と、を含み、
前記浄水側流路が、前記ストレート吐水用吐水流路に合流していることを特徴とする請求項１に記載の水栓装置。
【発明の詳細な説明】
【技術分野】
【０００１】
本発明は、吐止水を行う水栓装置に関する。
【背景技術】
【０００２】
従来から、吐止水を行う水栓装置として、単一の操作ハンドルを操作することにより、水道管等の給水源から供給される原水による水吐水、湯吐水、湯水混合吐水、または、浄水吐水の何れかの吐水モードに切替えて吐水操作が可能である、いわゆる、シングルレバー式の混合水栓装置が知られている（例えば、特許文献１参照。）。
【０００３】
このような混合水栓装置は、混合水栓装置本体に内蔵されて給水管及び給湯管が接続されたバルブカートリッジと、吐止水を行う吐水部を備えている。この吐水部の内部には、バルブカートリッジを通過した原水が直接的に流入する原水側流路が形成されている。また、吐水部の内部には、原水側流路とは独立に、バルブカートリッジから浄水側配管が延びて浄水側流路が形成されており、この浄水側流路には、バルブカートリッジから浄水側流路内に流入した原水を浄水にするための浄水部が設けられている。
【先行技術文献】
【特許文献】
【０００４】
【特許文献１】特開２０１１−１９６０１７号公報
【発明の概要】
【発明が解決しようとする課題】
【０００５】
上述した従来の混合水栓装置では、浄水部の上流側のバルブカートリッジにて吐水部から原水を吐水するか浄水を吐水するか、即ち、原水を原水側流路または浄水側流路の何れに通水させるかを切替え可能としていた。そのため、例えば、浄水側流路を下流側にて原水側流路と合流させる場合、原水側流路から浄水部側へと原水が逆流してしまう可能性があった。その場合、湯吐水や湯水混合吐水を行う際の温度の高い原水が浄水部へと流れ込むことで、浄水部の熱による劣化、それに伴う浄水部の破損や浄化性能の低下が生じやすくなってしまうという問題があった。さらに、浄水部の通水方向とは逆側からの水圧に対する耐久性が、通水方向からの水圧に対する耐久性に比べて高くない場合、原水側流路から浄水部側へと原水が逆流することで、浄水部の破損やそれに伴う浄化性能の低下が生じやすくなってしまうという問題があった。また、原水側流路と浄水側流路とを合流させない場合には、吐水部を原水用及び浄水用にそれぞれ用意しなければならず、部品点数及びコストが増加するとともに、吐水部を小型化しにくいという問題があった。
【０００６】
本発明は、上述した問題を解決するためになされたものであり、浄水部よりも上流側で吐水部における原水吐水と浄水吐水とを切替え、原水側流路と浄水側流路とを浄水部よりも下流で合流させても、浄水部側への原水の逆流を抑制することが可能な水栓装置を提供することを目的とする。
【課題を解決するための手段】
【０００７】
本発明は、給水源から供給される原水と、給水源から供給される原水を浄水部によって浄化した浄水と、を切替えて吐水部から吐水する水栓装置であって、給水源から供給される原水を前記吐水部に向けて供給する原水側流路と、給水源から供給される原水を浄化する前記浄水部が介設され、前記吐水部に向けて浄水を供給する浄水側流路と、給水源から供給される原水を、前記原水側流路と前記浄水側流路との何れかを選択して通水させる流路切替部と、を備え、前記吐水部は、吐水を複数の吐水口と、前記原水側流路から供給された原水を、前記複数の吐水口のそれぞれに供給する複数の吐水流路と、この複数の吐水流路の何れに前記原水側流路から供給された原水を通水させるかを選択して切替えることで、前記吐水部における吐水の形態を切替える吐水形態切替部と、を有し、前記浄水側流路が、前記吐水形態切替部の下流側において前記複数の吐水流路の何れかに合流していることを特徴とする水栓装置である。
【０００８】
このように構成された本発明においては、吐水形態切替部よりも下流側の吐水流路に浄水側流路が合流するため、この浄水側流路が合流する吐水流路に原水が通水されない場合は、原水が吐水流路から浄水側流路に流れ込むことがない。また、浄水側流路が合流する吐水流路に原水が通水される場合においても、原水が吐水される吐水口により近い位置にて合流させることができる。そのため、吐水形態切替部よりも上流側で合流させる場合に比べて、原水の圧力損失が小さくなる吐水口により近い位置で合流するため、原水が浄水側流路に流れ込みにくい。従って、浄水側流路に原水が流れ込むことを抑制することが可能となる。
【０００９】
本発明は、さらに、前記複数の吐水口は、シャワー吐水を行うシャワー吐水口と、ストレート吐水を行うストレート吐水口と、を含み、前記複数の吐水流路は、前記シャワー吐水口に連通するシャワー吐水用の吐水流路と、前記ストレート吐水口に連通するストレート吐水用の吐水流路と、を含み、前記浄水側流路は、前記ストレート吐水用の吐水流路に合流する構成としてもよい。
【００１０】
このように構成された本発明においては、浄水は常にストレート吐水される。そのためシャワー吐水される場合に比べて、浄水部を通過することで水圧が低くなった浄水に対して使用者が水量の不足を感じにくい。
【発明の効果】
【００１１】
本発明の水栓装置によれば、浄水側流路の浄水部側への原水の逆流を抑制することが可能となる。
【図面の簡単な説明】
【００１２】
【図１】本発明の一実施形態による水栓装置を示す外観斜視図。
【図２】本発明の一実施形態による水栓装置を示す側面図。
【図３】本発明の一実施形態による水栓装置の流路形成部材を示す断面図。
【図４】本発明の一実施形態による水栓装置の流路形成部材、その上方の固定弁体、及びその上方の可動弁体を概略的に示す平面図。
【図５】本発明の一実施形態による水栓装置の吐水ヘッド部を示す平面断面図。
【図６】（ａ）本発明の一実施形態による水栓装置の吐水部を示す図５のＡ−Ａ断面図。（ｂ）本発明の一実施形態による水栓装置の吐水部を示す図５のＢ−Ｂ断面図。
【図７】（ａ）本発明の一実施形態による水栓装置の吐水ヘッド部における原水ストレート吐水モードの吐水動作を概略的に説明した図。（ｂ）本発明の一実施形態による水栓装置の吐水ヘッド部における原水シャワー吐水モードの吐水動作を概略的に説明した図。（ｃ）本発明の一実施形態による水栓装置の吐水ヘッド部における浄水ストレート吐水モードの吐水動作を概略的に説明した図。
【発明を実施するための形態】
【００１３】
以下、図面を参照して本発明の一実施形態による水栓装置について説明する。
図１は本発明の一実施形態による水栓装置を示す外観斜視図、図２は本発明の一実施形態による水栓装置を示す側面図である。
【００１４】
図１及び図２に示すように、本発明の一実施形態による水栓装置１は、１つの操作ハンドル６を操作することにより流量及び温度を調整した湯水を吐水ヘッド部８の吐水部８ａで吐止水することができ、さらに、操作ハンドル６の操作により吐水部８ａで浄水を吐止水することができる浄水機能を有する、いわゆる、シングルレバー式の混合水栓装置本体１０を備える。また、水栓装置１は、図示しない給水源から供給され加熱された湯（原水）を混合水栓装置本体１０へ導く給湯管２と、給水源（図示せず）から混合水栓装置本体１０へ水（原水）を供給する給水管４とを備える。
【００１５】
混合水栓装置本体１０は、台所のシンクや洗面台等のカウンター１２上に配置され、操作ハンドル６を上方（図１に示されている矢印「開」の方向）に回動操作した場合には、吐水ヘッド部８の吐水部８ａにおける止水から吐水への切替え操作ができるようになっている。操作ハンドル６をより上方に回動させた位置に設定する程、吐水ヘッド部８の吐水部８ａから吐出される湯水の流量を大きく設定することができるようになっている。
【００１６】
一方、操作ハンドル６を最も下方（図１に示されている矢印「閉」の方向）の位置に回動操作した場合には、吐水ヘッド部８の吐水部８ａから吐出される湯水を止水状態に設定することができるようになっている。
【００１７】
さらに、操作ハンドル６を正面側から混合水栓装置本体１０の鉛直方向の中心軸線Ａ１を中心に図１の矢印「Ｃ」の水平方向（図１の水平方向右側）に回動操作した場合には、吐水ヘッド部８の吐水部８ａから原水による水の吐水を行うモード（以下「水吐水モード」）に設定することができるようになっている。また、この水吐水モードの状態から、操作ハンドル６を、中心軸線Ａ１を中心に図１の矢印「Ｃ」の水平方向（図１の水平方向右側）にさらに回動操作した場合には、吐水ヘッド部８の吐水部８ａから浄水の吐水を行うモード（以下「浄水吐水モード」に設定することができるようになっている。
【００１８】
一方、操作ハンドル６を正面側から混合水栓装置本体１０の鉛直方向の中心軸線Ａ１を中心に図１の矢印「Ｈ」の水平方向（図１の水平方向左側）に回動操作した場合には、吐水ヘッド部８の吐水部８ａから原水による湯の吐水を行うモード（以下「湯吐水モード」）に設定することができるようになっている。また、操作ハンドル６を水吐水モードでの位置と湯吐水モードでの位置との間の位置に回動操作した場合には、原水による湯と水とを混合させて吐水するモード（以下「湯水混合吐水モード」）に設定することができるようになっている。
【００１９】
次に、図２に示すように、吐水ヘッド部８は、混合水栓装置本体１０の前面から前方且つ斜め上方に突出する吐水ヘッド取付部１４に取り外し可能に取り付けられている。使用者は、吐水ヘッド部８を把持して混合水栓装置本体１０の吐水ヘッド取付部１４から取り外し、前方側（図２の矢印Ａの方向）へ引き出した状態で使用することができるようになっている。
【００２０】
また、吐水ヘッド部８の前端部には、吐水部８ａにおいてシャワー状の吐水を行う吐水モード（以下「シャワー吐水モード」）またはストレート状の吐水を行う吐水モード（以下「ストレート吐水モード」）に切替える切替スイッチ８ｂが設けられている。
【００２１】
さらに、図１及び図２に示すように、吐水ヘッド部８の後端部（上流側）は、ホース部材１６が接続され、このホース部材１６の上流側は、混合水栓装置本体１０に内蔵されている流路形成部材３０に接続された鋼管部材１８と接続部材２０によって接続されている。また、混合水栓装置本体１０には、混合水栓装置本体１０内の複数の流路のうちから所定の流路を通水させる流路として選択して切替えるバルブカートリッジ２８（流路切替部）が内蔵されている。
【００２２】
次に、図３及び図４を参照してバルブカートリッジ及び流路形成部材について説明する。図３は本発明の一実施形態による水栓装置の流路形成部材の断面図、図４は本発明の一実施形態による水栓装置の流路形成部材、その上方の固定弁体、及びその上方の可動弁体を概略的に示す平面図である。なお、図３においては、一次側の湯の流れ及び水の流れのそれぞれ、並びに、二次側の非浄水用原水の流れＦ１及び浄水用原水の流れＦ２のそれぞれを矢印で示している。
【００２３】
図３に示すように、混合水栓装置本体１０に内蔵される流路形成部材３０は、鉛直方向に延びる一次側湯流路３０ａ、一次側水流路３０ｂ、二次側原水側流路３０ｃ及び二次側浄水側流路３０ｄの４つの流路がそれぞれ形成されている。
【００２４】
図４に示すように、混合水栓装置本体１０内の流路形成部材３０の上側に設けられるバルブカートリッジ２８は、固定弁体２２と、この固定弁体２２上に摺動可能に設けられた可動弁体２４と、この可動弁体２４に連結されて可動弁体２４を操作する図示しない操作部とを有する。
【００２５】
固定弁体２２は、鉛直方向に延びる一次側湯流路２２ａ、一次側水流路２２ｂ、二次側原水側流路２２ｃ及び二次側浄水側流路２２ｄの４つの流路がそれぞれ形成されている。一方、可動弁体２４は、固定弁体２２側（可動弁体２４の上流側）からの吐水が流入する一次側流路２４ａと、この一次側流路２４ａから流入する吐水を固定弁体２２側（可動弁体２４の下流側）に吐出させる二次側流路２４ｂとを有する。
【００２６】
図３及び図４に示すように、流路形成部材３０の一次側湯流路３０ａは、その上端部（下流端部）が、バルブカートリッジ２８の固定弁体２２の一次側湯流路２２ａの下端側（上流側）と連通接続されている。一方、流路形成部材３０の一次側湯流路３０ａの下端部（上流端部）には、給湯管２の上端部（下流端部）が挿入されて接続される。同様に、流路形成部材３０の一次側水流路３０ｂは、その上端部（下流端部）がバルブカートリッジ２８の固定弁体２２の一次側水流路２２ｂの下端側（上流側）と連通接続されている。一方、流路形成部材３０の一次側水流路３０ｂの下端部（上流端部）には、給水管４の上端部（下流端部）が挿入されて接続される。
【００２７】
また、流路形成部材３０の二次側原水側流路３０ｃ及び二次側浄水側流路３０ｄのそれぞれの上端部（上流端部）は、固定弁体２２の二次側原水側流路２２ｃ及び二次側浄水側流路２２ｄのそれぞれの下端側（下流側）と連通接続されている。
【００２８】
さらに、図３に示すように、流路形成部材３０の二次側原水側流路３０ｃには、下方側から鋼管部材１８が接続されている。この鋼管部材１８は、細長い略円管状の外側鋼管部材３６と、この外側鋼管部材３６の内部に同心状に配置された内側鋼管部材３８とからなる二重管部材である。また、内側鋼管部材３８の上端部（上流端部）は、流路形成部材３０の底面から所定距離上方に位置する二次側原水側流路３０ｃの下流端部である内側鋼管部材接続部４０にシール部材４２を介して液密に接続されている。それにより、内側鋼管部材３８の内周側は、二次側原水側流路３０ｃから流入した非浄水用原水のみが流れる原水側流路３８ａを形成している。
【００２９】
一方、流路形成部材３０の底面且つ内側鋼管部材接続部４０の真下（内側鋼管部材接続部４０よりも下流側）の位置には、外側鋼管部材接続部４４が設けられ、外側鋼管部材３６の上端部（上流端部）がシール部材４６を介して液密に接続されている。さらに、流路形成部材３０の外側鋼管部材接続部４４よりも上流側且つ内側鋼管部材接続部４０よりも下流側には、二次側浄水側流路３０ｄの下端部と外側鋼管部材接続部４４とを接続するようにほぼ水平方向に延びる接続流路４８が形成されている。
【００３０】
また、外側鋼管部材接続部４４よりも上流側に位置する流路形成部材３０の二次側原水側流路３０ｃ及び二次側浄水側流路３０ｄは、それぞれの流路断面の中心軸線が互いに偏心しているため、二次側浄水側流路３０ｄ内の浄水用の原水は、接続流路４８を経て、内側鋼管部材３８の外周面と外側鋼管部材３６の内周面との間に形成される浄水側流路３６ａ（図４参照）を流れるようになっている。すなわち、内側鋼管部材３８の内周側の原水側流路３８ａと、内側鋼管部材３８の外周面と外側鋼管部材３６の内周面との間に形成される浄水側流路３６ａとは、互いに独立した流路を形成しているため、それぞれを流れる非浄水用原水と浄水用原水とは互いに混ざり合うことなく流れるようになっている。
【００３１】
このような構成により、操作ハンドル６の操作によりバルブカートリッジ２８の操作部（図示せず）を操作すると、可動弁体２４が固定弁体２２の上面に沿って摺動または回動することにより、流路形成部材３０の流路及び可動弁体２４の流路と固定弁体２２の流路との連通状態を切替えることができるようになっている。これにより、混合水栓装置本体１０内の複数の流路のうちから所定の流路を通水させる流路として選択して切替えることができ、吐水ヘッド部８の吐水部８ａにおける吐水モードを上述した水吐水モード、湯水混合吐水モード、湯吐水モード、または浄水吐水モードの何れかに切替えることができるようになっている。
【００３２】
次に、図５、図６（ａ）及び（ｂ）を参照して、吐水ヘッド部の内部構造の詳細について説明する。
図５は本発明の一実施形態による水栓装置の吐水ヘッド部を示す平面断面図、図６（ａ）は本発明の一実施形態による水栓装置の吐水部を示す図５のＡ−Ａ断面図、図６（ｂ）は本発明の一実施形態による水栓装置の吐水部を示す図５のＢ−Ｂ断面図である。なお、図５では、非浄水用原水の流れＦ１及び浄水用原水及び浄水の流れＦ２をそれぞれ矢印で示している。また、図５、図６（ａ）及び（ｂ）においては、水栓装置はストレート吐水モードに設定されている。
【００３３】
内側鋼管部材３８及び外側鋼管部材３６から構成される鋼管部材１８は、接続部材２０を介してホース部材１６と接続される。図５に示すように、ホース部材１６は、内側から外側に向かって略同心状に配置された、インナーホース７２、アウターホース７４及びフレキチューブ７６を備えている。
【００３４】
インナーホース７２の内周側には、内側鋼管部材３８の内周側の原水側流路３８ａと連通する原水側流路７２ａが形成されている。また、インナーホース７２の外周面とアウターホース７４の内周面との間は、内側鋼管部材３８の外周面と外側鋼管部材３６の内周面との間に形成される浄水側流路３６ａと連通する浄水側流路７４ａが形成されている。
【００３５】
図５に示すように、吐水ヘッド部８は、ホース部材１６が接続されるホース接続部８０を備えている。また、吐水ヘッド部８は、外側ケーシング部材９６と、この外側ケーシング部材９６の内側に設けられた内側ケーシング部材９８と、この内側ケーシング部材９８の内部に設けられた略円筒形状の浄水カートリッジ１００（浄水部）とを備えている。
【００３６】
内側ケーシング部材９８の外周面と外側ケーシング部材９６の内周面との間には、ホース接続部８０を介してインナーホース７２の原水側流路７２ａの下流側と連通する原水側流路１０２が形成されている。一方、内側ケーシング部材９８の内周面と浄水カートリッジ１００の外周面との間には、ホース接続部８０を介してインナーホース７２の外周面とアウターホース７４の内周面との間の浄水側流路７４ａの下流側と連通する浄水側流路１０４が原水側流路１０２から独立して形成されている。
【００３７】
浄水側流路１０４内の浄水用原水は、その内側の浄水カートリッジ１００の中を通過することにより浄水にされた後に、吐水部８ａ側へ流れるようになっている。また、原水側流路１０２内の非浄水用原水は、浄水カートリッジ１００を通過することなく、浄化されていない原水（水、湯、または混合湯水）のままで吐水部８ａ側へ流れるようになっている。
【００３８】
次に、図５、図６（ａ）及び（ｂ）に示すように、吐水ヘッド部８の吐水部８ａの内部には、略円盤状の吐水流路形成部材１０５が内蔵されている。吐水流路形成部材１０５は、ストレート吐水用突出部１０５ａ及びシャワー吐水用突出部１０５ｂが上方に向けて立設されている。
【００３９】
ストレート吐水用突出部１０５ａは、上下開口した略円筒状であり、上側の開口にて原水側流路１０２と連通し、その内周側には、ストレート吐水用吐水流路１０６が形成されている。また、ストレート吐水用突出部１０５ａの浄水側流路１０４側の側面には開口が形成され、この側面の開口に浄水側流路１０４の下流端が合流している。下側の開口は、ストレート状の吐水を行うストレート吐水口１１２に連通する。
【００４０】
シャワー吐水用突出部１０５ｂは、上下開口した略円筒状であり、上側の開口にて原水側流路１０２と連通し、その内周側には、シャワー吐水用吐水流路１０８が形成されている。下側の開口は、ストレート吐水口１１２の周囲に複数形成され、シャワー状の吐水を行うシャワー吐水口１１４に連通する。
【００４１】
また、吐水部８ａの内部には、切替スイッチ８ｂの操作位置に連動して、ストレート吐水用吐水流路１０６またはシャワー吐水用吐水流路１０８の何れか一方を閉鎖し、他方を開放する吐水形態切替弁８ｃ（吐水形態切替部）が設けられている。
【００４２】
ストレート吐水用吐水流路１０６は、切替スイッチ８ｂによりストレート吐水モードが設定されている場合に、吐水ヘッド部８内の原水側流路１０２を流れた非浄水用原水（水、湯、もしくは混合湯水）、または、吐水ヘッド部８内の浄水側流路１０４の浄水カートリッジ１００を通過した浄水が流れ込み、その下流側のストレート吐水口１１２からストレート状に吐水させる流路となっている。このとき、シャワー吐水用吐水流路１０８は、吐水形態切替弁８ｃにより閉鎖され、吐水が流入しないようになっている。
【００４３】
一方、シャワー吐水用吐水流路１０８は、切替スイッチ８ｂによりシャワー吐水モードが設定されている場合に、吐水ヘッド部８内の原水側流路１０２を流れた非浄水用原水（水、湯、または混合湯水）が流れ込み、その下流側のシャワー吐水口１１４からシャワー状に吐水させる流路となっている。このとき、ストレート吐水用吐水流路１０６は、吐水形態切替弁８ｃにより閉鎖され、吐水が流入しないようになっている。
【００４４】
また、浄水が流れる浄水側流路１０４の浄水カートリッジ１００の下流側は、切替スイッチ８ｂの操作位置にかかわらず、吐水部８ａのストレート吐水用吐水流路１０６と常時連通しており、シャワー吐水用吐水流路１０８とは常時連通しない構造となっている。これにより、操作ハンドル６を浄水吐水モードに設定した状態で吐水ヘッド部８の切替スイッチ８ｂをシャワー吐水モードに設定したとしても、シャワー状の浄水吐水は行われずに、ストレート状の浄水吐水のみが行われるようになっている。
【００４５】
次に、図１〜図７を参照して、上述した本発明の一実施形態による水栓装置１の動作について説明する。
図７（ａ）は本発明の一実施形態による水栓装置の吐水ヘッド部における原水ストレート吐水モードの吐水動作を概略的に説明した図、（ｂ）は本発明の一実施形態による水栓装置の吐水ヘッド部における原水シャワー吐水モードの吐水動作を概略的に説明した図、（ｃ）本発明の一実施形態による水栓装置の吐水ヘッド部における浄水ストレート吐水モードの吐水動作を概略的に説明した図である。
【００４６】
まず、図７（ａ）に示すように、原水ストレート吐水モードとは、吐水ヘッド部８の切替スイッチ８ｂをストレート吐水モードに設定した状態で、操作ハンドル６を水吐水モードの操作位置、湯吐水モードの操作位置、または、湯水混合吐水モードの操作位置の何れかに設定したときの吐水モードを意味する。
【００４７】
この原水ストレート吐水モードに設定した場合においては、図３及び図４に示すように、操作ハンドル６を水吐水モードに設定した場合には、給水管４から供給される非浄水用の原水（水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側原水側流路２２ｃを経て流路形成部材３０の二次側原水側流路３０ｃを通過する。そして、この非浄水用の原水（水）は、図３、図５、図６に示すように、下流側に向って、内側鋼管部材３８内の原水側流路３８ａ、インナーホース７２内の原水側流路７２ａ、吐水ヘッド部８内の原水側流路１０２を流れる。そして、吐水ヘッド部８の切替スイッチ８ｂの吐水形態切替弁８ｃがストレート吐水用吐水流路１０６を開放するとともにシャワー吐水用吐水流路１０８を閉鎖することにより、原水（水）がストレート吐水用吐水流路１０６を流れ、最終的には、吐水部８ａのストレート吐水口１１２からストレート吐水される。
【００４８】
同様に、操作ハンドル６を湯吐水モードや湯水混合吐水モードに設定した場合についても、流路形成部材３０の二次側原水側流路３０ｃの上流側から二次側原水側流路３０ｃ内に流入した非浄水用の原水（湯または混合湯水）が、図３、図５及び図６に示すように、下流側に向って、内側鋼管部材３８内の原水側流路３８ａ、インナーホース７２内の原水側流路７２ａを経て吐水ヘッド部８内の原水側流路１０２からストレート吐水用吐水流路１０６を流れ、最終的には、原水（湯または混合湯水）が吐水部８ａのストレート吐水口１１２からストレート吐水される。
【００４９】
次に、図７（ｂ）に示すように、原水シャワー吐水モードとは、吐水ヘッド部８の切替スイッチ８ｂをシャワー吐水モードに設定した状態で、操作ハンドル６を水吐水モードの操作位置、湯吐水モードの操作位置、または、湯水混合吐水モードの操作位置の何れかに設定したときの吐水モードを意味する。
【００５０】
この原水シャワー吐水モードに設定した場合においては、流路形成部材３０の二次側原水側流路３０ｃの上流側から二次側原水側流路３０ｃ内に流入した非浄水用の原水（水、湯または混合湯水）が、図３、図５及び図６に示すように、下流側に向って、内側鋼管部材３８内の原水側流路３８ａ、インナーホース７２内の原水側流路７２ａを経て吐水ヘッド部８内の原水側流路１０２を流れる点については、上述した原水ストレート吐水モードの場合と共通するが、吐水ヘッド部８の切替スイッチ８ｂの吐水形態切替弁８ｃがストレート吐水用吐水流路１０６を閉鎖するとともにシャワー吐水用吐水流路１０８を開放する。これにより、原水（水、湯または混合湯水）がシャワー吐水用吐水流路１０８を流れ、最終的には、吐水部８ａのシャワー吐水口１１４からシャワー吐水される。
【００５１】
次に、図７（ｃ）に示すように、浄水ストレート吐水モードとは、吐水ヘッド部８の切替スイッチ８ｂをストレート吐水モードまたはシャワー吐水モードの何れかに設定した状態で、操作ハンドル６を浄水吐水モードの操作位置に設定したときの吐水モードを意味する。
【００５２】
この浄水ストレート吐水モードに設定した場合においては、図３及び図４に示すように、操作ハンドル６を浄水吐水モードに設定すると、給水管４から供給される非浄水用の原水（浄水化される前の原水）が、流路形成部材３０の一次側水流路３０ｂから固定弁体２２の一次側水流路２２ｂを通過し、可動弁体２４の一次側流路２４ａ及び二次側流路２４ｂから固定弁体２２の二次側浄水側流路２２ｄを経て流路形成部材３０の二次側浄水側流路３０ｄ及び接続流路４８を通過する。
【００５３】
そして、この浄水用の原水（浄水化される前の原水）は、図３、図５及び図６に示すように、下流側に向って、内側鋼管部材３８の外周側の浄水側流路３６ａ、インナーホース７２の外周側の浄水側流路７４ａを経て吐水ヘッド部８の内側ケーシング部材９８内の浄水カートリッジ１００を通過することにより浄水化される。さらに、この浄水は、ストレート吐水用吐水流路１０６に流れ込み、最終的には、吐水部８ａのストレート吐水口１１２からストレート吐水される。
なお、浄水ストレート吐水モードに設定した場合においては、浄水側流路１０４が、切替スイッチ８ｂの操作位置にかかわらず、吐水部８ａのストレート吐水用吐水流路１０６と常時連通しているため、吐水ヘッド部８の切替スイッチ８ｂをシャワー吐水モードに設定したとしても、シャワー状の浄水吐水は行われずに、ストレート状の浄水吐水のみが行われる。
【００５４】
上述した本発明の一実施形態による水栓装置１によれば、吐水形態切替弁８ｃよりも下流側のストレート吐水用吐水流路１０６に浄水側流路１０４が合流するため、ストレート吐水用吐水流路１０６に原水が通水されない場合、即ち、吐水ヘッド部８の切替スイッチ８ｂをシャワー吐水モードに設定されてストレート吐水用吐水流路１０６が吐水形態切替弁８ｃにより閉鎖されている場合、原水がストレート吐水用吐水流路１０６から浄水側流路１０４に流れ込むことがない。また、ストレート吐水用吐水流路１０６に原水が通水される場合においても、浄水側流路１０４を吐水形態切替弁８ｃの上流側にて原水側流路１０２に合流させる構成に比べて、ストレート吐水口１１２により近い位置にて浄水側流路１０４をストレート吐水用吐水流路１０６に合流させることができる。そのため、ストレート吐水用吐水流路１０６において、浄水側流路１０４が合流する部分の圧力損失に比べ、より下流側、即ち、ストレート吐水口１１２側にて圧力損失がより小さくなる。従って、原水がストレート吐水用吐水流路１０６から浄水側流路１０４に流れ込みにくい。
浄水側流路１０４に原水が流れ込むことを抑制することが可能となるため、湯吐水や湯水混合吐水を行う際の温度の高い原水が浄水カートリッジ１００へと流れ込むことが抑制される。従って、浄水カートリッジ１００の熱による劣化、浄水カートリッジ１００へ通水方向とは逆側から作用する水圧、及び、それらに伴う浄水カートリッジ１００の破損や浄化性能の低下が生じにくく、安定した浄化性能を有する水栓装置を得ることが可能となる。
【００５５】
また、原水が流れるストレート吐水用吐水流路１０６に浄水側流路１０４が合流するため、合流させない構成に比べて、吐水部８ａを原水用及び浄水用にそれぞれ用意しなくともよく。そのため、部品点数及びコストが増加せず、吐水部８ａを小型化することが可能となる。
【００５６】
さらに、上述した本発明の一実施形態による水栓装置１によれば、ストレート吐水用吐水流路１０６に浄水側流路１０４が合流するため、浄水は常にストレート吐水口１１２からストレート吐水される。そのため、吐水形態切替弁８ｃを介して浄水が吐水される構成に比べて、吐水形態切替弁８ｃを通過することによる圧力損失がないため、より多くの流量を確保することができる。従って、浄水カートリッジ１００を通過することで浄水の水圧が低下したとしても、使用者が水量の不足を感じにくい。
【００５７】
また、ストレート吐水口１１２の孔径に比べて、シャワー吐水口１１４の孔径の方が小さく、さらに、吐水部８ａにおいてストレート吐水口１１２が占める面積に比べて、吐水部８ａにおいてシャワー吐水口１１４が占める面積の方が大きい。そのため、食器等の洗いものや、使用者の接触を原因とする雑菌の付着がシャワー吐水口１１４においてより生じやすく、付着した際には除去されにくいものである。上述した本発明の一実施形態による水栓装置１は、ストレート吐水用吐水流路１０６に浄水側流路１０４が合流するため、原水のみがシャワー吐水口１１４から吐水される。浄水カートリッジ１００により塩素を除去された浄水ではなく、塩素による殺菌力を有する原水のみがシャワー吐水口１１４に流れ込むため、よりシャワー吐水口１１４における雑菌の繁殖が抑制され、シャワー吐水口１１４の衛生性を保持することができる。
【符号の説明】
【００５８】
１    水栓装置
２    給湯管
４    給水管
６    操作ハンドル
８    吐水ヘッド部
８ａ  吐水部
８ｂ  切替スイッチ
８ｃ  吐水形態切替弁（吐水形態切替部）
１０    混合水栓装置本体
１２    カウンター
１４    吐水ヘッド取付部
１６    ホース部材
１８    鋼管部材
２０    接続部材
２２    固定弁体
２２ａ  一次側湯流路
２２ｂ  一次側水流路
２２ｃ  二次側原水側流路
２２ｄ  二次側浄水側流路
２４    可動弁体
２４ａ  一次側流路
２４ｂ  二次側流路
２８    バルブカートリッジ（流路切替部）
３０    流路形成部材
３０ａ  一次側湯流路
３０ｂ  一次側水流路
３０ｃ  二次側原水側流路
３０ｄ  二次側浄水側流路
３６    外側鋼管部材
３６ａ  浄水用原水流路
３８    内側鋼管部材
３８ａ  原水側流路
４０    内側鋼管部材接続部
４２    シール部材
４４    外側鋼管部材接続部
４６    シール部材
４８    接続流路
７２    インナーホース
７２ａ  原水側流路
７４    アウターホース
７４ａ  浄水側流路
７６    フレキチューブ
８０    吐水ヘッド部のホース接続部
９６    外側ケーシング部材
９８    内側ケーシング部材
１００    浄水カートリッジ（浄水部）
１０２    原水側流路
１０４    浄水側流路
１０５    吐水流路形成部材
１０５ａ  ストレート吐水用突出部
１０５ｂ  シャワー吐水用突出部
１０６    ストレート吐水用吐水流路
１０８    シャワー吐水用吐水流路
１１２    ストレート吐水口
１１４    シャワー吐水口
【図１】
2014134013.tif 000003
【図２】
2014134013.tif 000004
【図３】
2014134013.tif 000005
【図４】
2014134013.tif 000006
【図５】
2014134013.tif 000007
【図６】
2014134013.tif 000008
【図７】
2014134013.tif 000009